(57)【要約】【課題】三脚を用いることなくセルフタイマを用いた撮影が可能であり、かつその際に良好な操作性が確保可能なカメラ装置を提供する。【解決手段】カメラ本体２の底部に、軸１５を中心に回動自在な脚１４を設ける。使用時には、脚１４の自由端部側を回動させてカメラ本体２の転倒を防止する。撮影モードが設定されているとき脚１４が回動されたらセルフタイマーモードに自動的に移行し、かつその際には、脚１４の回動量（角度）や回動方向に応じて、タイマ時間及び撮影モードの詳細（マクロモードや記念撮影モード）を自動的に設定させる。【選択図】    図２
2004333966.tif 000002
【特許請求の範囲】
【請求項１】
セルフタイマを備えたカメラ装置において、
カメラ本体に設けられるとともに、カメラ本体の転倒を防止する使用状態と非使用時とに操作可能に設けられた脚と、
この脚が前記使用状態にあることを検出する状態検出手段と、
この検出手段により前記脚が使用状態にあることが検出されたことに応答し、撮影時におけるセルフタイマの使用を設定する制御手段と
を備えたことを特徴とするカメラ装置。
【請求項２】
前記脚の使用状態は複数存在するとともに、その使用状態の内容を検出する状態内容検出手段と、前記セルフタイマに計測させる撮影操作から撮影実施までの時間を、前記状態内容検出手段により検出された内容に応じた時間に設定する時間設定手段とを備えたことを特徴とする請求項１記載のカメラ装置。
【請求項３】
前記脚は前記使用状態と非使用状態とに回動可能であり、前記状態内容検出手段により検出される脚の使用状態の内容は、脚における非使用状態からの回動量であることを特徴とする請求項２記載のカメラ装置。
【請求項４】
前記状態内容検出手段により検出される脚の使用状態の内容は、使用状態へ操作されたときのカメラ本体を基準とする脚の操作方向であることを特徴とする請求項２記載のカメラ装置。
【請求項５】
前記脚の使用状態は複数存在するとともに、その使用状態の内容を検出する状態内容検出手段と、前記制御手段により撮影時におけるセルフタイマの使用が設定されたときの撮影モードを、前記状態内容検出手段により検出された内容に応じて決められている撮影モードに設定する撮影モード設定手段とを備えたことを特徴とする請求項１〜４のいずれか１項に記載のカメラ装置。
【請求項６】
前記カメラ本体の所定方向の傾き状態を検出する傾き検出手段と、
前記セルフタイマに計測させる撮影操作から撮影実施までの時間を、前記傾き検出手段により検出されたカメラ本体の所定方向の傾き状態に応じた時間に設定する時間設定手段と
を備えたことを特徴とする請求項１記載のカメラ装置。
【請求項７】
前記カメラ本体の所定方向の傾き状態を検出する傾き検出手段と、
前記制御手段により撮影時におけるセルフタイマの使用が設定されたときの撮影モードを、前記傾き検出手段により検出されたカメラ本体の所定方向の傾き状態に応じて決められている撮影モードに設定する撮影モード設定手段と
を備えたことを特徴とする請求項１記載のカメラ装置。
【請求項８】
前記カメラ本体の所定方向の傾き状態を検出する傾き検出手段と、
前記セルフタイマに計測させる撮影操作から撮影実施までの時間を、前記傾き検出手段により検出されたカメラ本体の所定方向の傾き状態に応じた時間に設定する時間設定手段と、
前記制御手段により撮影時におけるセルフタイマの使用が設定されたときの撮影モードを、前記傾き検出手段により検出されたカメラ本体の所定方向の傾き状態に応じて決められている撮影モードに設定する撮影モード設定手段と
を備えたことを特徴とする請求項１記載のカメラ装置。
【請求項９】
前記脚は、前記カメラ装置の底面に設けられ、非使用時には該底面にほぼ面一に収納されることを特徴とする請求項１記載のカメラ装置。
【請求項１０】
前記脚は前記カメラ装置の底面側に向けて凸部を有するとともに、
前記カメラ装置の底面には前記凸部と対応する凹部が形成され、
前記脚が回動した使用状態にあるとき、前記凸部と前記凹部とは嵌合状態となることを特徴とする請求項３記載のカメラ装置。
【請求項１１】
前記脚が回動した使用状態にあるとき、前記凸部と前記凹部とは嵌合状態となるとともに、
前記突起が位置する側において、前記カメラ装置の底面と前記脚とは、一定の間隙を保持することを特徴とする請求項１１記載のカメラ装置。
【発明の詳細な説明】
【０００１】
【発明の属する技術分野】
本発明は、セルフタイマを備えたカメラ装置に関する。
【０００２】
【従来の技術】
従来、カメラには、例えばカメラを三脚等を用いて設置した状態で、一定時間後に自動的に撮影動作を行わせるためのセルフタイマが設けられていた。
【０００３】
しかし、セルフタイマを使用する時には、カメラを所望の方向に向けて設置しなければならないが、三脚等がない場合、又は三脚の接続が困難な形状をしたカメラの場合、カメラを所望の方向に向けて設置することは困難になるという問題がある。
【０００４】
これを解決する一手法としては、下記特許文献１に記載されているように、カメラ本体に開閉可動に設けられている、撮影待機時におけるスルー画像や記録画像を表示する表示部を利用し、これを開いた状態とすることで簡易なスタンドとして用いる事が知られている。また、下記特許文献１には、その際に自動的にセルフタイマモードに移行するようにすることが指摘されている。
【０００５】
【特許文献１】
特開平８−３１３９８１号公報
【０００６】
【発明が解決しようとする課題】
しかしながら、上記のように、開閉可動な表示部を開いた状態でスタンドとして用いることは、特別な部材を追加しないため簡易に実現できるが、反面、その実施が開閉可動な表示部を備えたものに限定されてしまうため汎用性が低い。また、その時に自動的にセルフタイマモードに移行するようにすると表示部の使い勝手が損なわれるため、撮影時の操作性が低下するという問題があった。
【０００７】
本発明は、かかる従来の課題に鑑みてなされたものであり、三脚を用いることなくセルフタイマを用いた撮影が可能であり、かつその際に良好な操作性が確保可能なカメラ装置を提供することを目的とする。
【０００８】
【課題を解決するための手段】
前記課題を解決するために請求項１の発明にあっては、セルフタイマを備えたカメラ装置において、カメラ本体に設けられるとともに、カメラ本体の転倒を防止する使用状態と非使用時とに操作可能に設けられた脚と、この脚が前記使用状態にあることを検出する状態検出手段と、この検出手段により前記脚が使用状態にあることが検出されたことに応答し、撮影時におけるセルフタイマの使用を設定する制御手段とを備えたものとした。
【０００９】
かかる構成においては、カメラ本体に設けられた脚を使用状態に操作するだけで、カメラ本体の転倒を防止しつつ直ちにセルフタイマを用いた撮影を行うことができる。また、その際には、カメラ本体にスルー画像等の表示部が存在する構成であっても、その視認性が低下することがない。
【００１０】
また、請求項２の発明にあっては、前記脚の使用状態は複数存在するとともに、その使用状態の内容を検出する状態内容検出手段と、前記セルフタイマに計測させる撮影操作から撮影実施までの時間（タイマ時間）を、前記状態内容検出手段により検出された内容に応じた時間に設定する時間設定手段とを備えたものとした。
【００１１】
かかる構成においては、セルフタイマを用いた撮影時には、タイマ時間が、使用時における脚の使用状態に応じて異なる時間に設定される。
【００１２】
また、請求項３の発明にあっては、前記脚は前記使用状態と非使用状態とに回動可能であり、前記状態内容検出手段により検出される脚の使用状態の内容は、脚における非使用状態からの回動量であるものとした。
【００１３】
かかる構成においては、セルフタイマを用いた撮影時には、タイマ時間が、使用時における脚の回動量に応じて異なる時間に設定される。
【００１４】
また、請求項４の発明にあっては、前記状態内容検出手段により検出される脚の使用状態の内容は、使用状態へ操作されたときのカメラ本体を基準とする脚の操作方向であるものとした。
【００１５】
かかる構成においては、セルフタイマを用いた撮影時には、タイマ時間が、使用時における脚の操作方向に応じて異なる時間に設定される。
【００１６】
また、請求項５の発明にあっては、前記脚の使用状態は複数存在するとともに、その使用状態の内容を検出する状態内容検出手段と、前記制御手段により撮影時におけるセルフタイマの使用が設定されたときの撮影モードを、前記状態内容検出手段により検出された内容に応じて決められている撮影モードに設定する撮影モード設定手段とを備えたものとした。
【００１７】
かかる構成においては、セルフタイマを用いた撮影時には、撮影モードが、使用時における脚の使用状態に応じて異なる撮影モードに設定される。
【００１８】
また、請求項６の発明にあっては、前記カメラ本体の所定方向の傾き状態を検出する傾き検出手段と、前記セルフタイマに計測させる撮影操作から撮影実施までの時間を、前記傾き検出手段により検出されたカメラ本体の所定方向の傾き状態に応じた時間に設定する時間設定手段とを備えたものとした。
【００１９】
かかる構成においては、セルフタイマを用いた撮影時には、撮影時のタイマ時間が、カメラ本体の所定方向の傾き状態に応じて異なる時間に設定される。
【００２０】
また、請求項７の発明にあっては、前記カメラ本体の所定方向の傾き状態を検出する傾き検出手段と、前記制御手段により撮影時におけるセルフタイマの使用が設定されたときの撮影モードを、前記傾き検出手段により検出されたカメラ本体の所定方向の傾き状態に応じて決められている撮影モードに設定する撮影モード設定手段とを備えたものとした。
【００２１】
かかる構成においては、セルフタイマを用いた撮影時には、撮影モードが、カメラ本体の所定方向の傾き状態に応じて異なる撮影モードに設定される。
【００２２】
また、請求項８の発明にあっては、前記カメラ本体の所定方向の傾き状態を検出する傾き検出手段と、前記セルフタイマに計測させる撮影操作から撮影実施までの時間を、前記傾き検出手段により検出されたカメラ本体の所定方向の傾き状態に応じた時間に設定する時間設定手段と、前記制御手段により撮影時におけるセルフタイマの使用が設定されたときの撮影モードを、前記傾き検出手段により検出されたカメラ本体の所定方向の傾き状態に応じて決められている撮影モードに設定する撮影モード設定手段とを備えたものとした。
【００２３】
かかる構成においては、セルフタイマを用いた撮影時には、撮影時のタイマ時間が、カメラ本体の所定方向の傾き状態に応じて異なる時間に設定されるとともに、カメラ本体の所定方向の傾き状態に応じて異なる撮影モードに設定される。
【００２４】
また、請求項９の発明にあっては、請求項１のカメラ装置において、前記脚は、前記カメラ装置の底面に設けられ、非使用時には該底面にほぼ面一に収納されるものとした。
【００２５】
また、請求項１０の発明にあっては、請求項３記載のカメラ装置において、前記脚は前記カメラ装置の底面側に向けて凸部を有するとともに、前記カメラ装置の底面には前記凸部と対応する凹部が形成され、前記脚が回動した使用状態にあるとき、前記凸部と前記凹部とは嵌合状態となるものとした。
【００２６】
かかる構成によれば、脚を使用するときには、凸部と凹部とが嵌合することにより節度感を持って脚を所定量だけ回動操作することができる。
【００２７】
また、請求項１１の発明にあっては、前記脚が回動した使用状態にあるとき、前記凸部と前記凹部とは嵌合状態となるとともに、前記突起が位置する側において、前記カメラ装置の底面と前記脚とは、一定の間隙を保持するものとした。
【００２８】
かかる構成によれば、脚を使用しての撮影時には、仰角や俯角を確保した状態でカメラ本体を設置することができる。
【００２９】
【発明の実施の形態】
以下、本発明をデジタルカメラに適用した場合の実施の一形態について図面を参照して説明する。
【００３０】
（第１の実施の形態）
図１は、本実施の形態及び後述する各実施の形態に共通するデジタルカメラ１の外観構成を示し、図１（Ａ）は正面上方側、図１（Ｂ）は背面上方側から観た斜視図である。
【００３１】
図示する如く、デジタルカメラ１の直方体の平板状の筐体であるカメラ本体２の上面、右端部寄りには、電源キー３と、レリーズキー４とが配設されている。
【００３２】
電源キー３は、電源のオン／オフ状態を切換えるものであり、レリーズキー４は、その操作により記録モード時にシャッタ動作を行わせる他、各種動作モードのメニュー項目を表示されている状態では選択／実行キーとしても機能する。
【００３３】
また、デジタルカメラ１の背面には、光学ファインダ５、記録（ＲＥＣ）／再生（ＰＬＡＹ）切換スイッチ６、メニュー（ＭＥＮＵ）キー７、表示されたメニュー項目等を選択するためのカーソルキー８、及び液晶モニタ部９が配設されている。
【００３４】
記録／再生切換スイッチ６は、記録モードと再生モードとを切換えるためのスライドスイッチであり、メニューキー７は、各種動作モードのメニュー項目等を表示させるためのものである。
【００３５】
カーソルキー８は、表示されたメニュー項目等を移動するためのものであり、液晶モニタ部９は、例えばバックライト付きのカラー液晶表示パネルで構成され、撮影モードでの撮影待機状態では被写体画像（スルー画像）をモニタ表示する他、上記メニューキー７の操作により動作モード等の選択状態等も表示する。
【００３６】
さらに、カメラ本体２の正面には、撮影レンズ１０、光学ファインダ窓１１、セルフタイマランプ１２、及びストロボ発光部１３が配設されている。なお、本実施の形態において撮影レンズ１０を含む光学系は、焦点深度が１０〜２０ｃｍの近接範囲となる近接（マクロ）撮影用と、焦点深度が５０ｃｍ〜無限遠の通常範囲となる通常撮影用とに制御可能に構成されている。
【００３７】
一方、図２は、デジタルカメラ１を底面側から見た外観斜視図であって、カメラ本体２の底面には板状の脚１４が設けられている。脚１４は、カメラ本体２の底面の中央側に位置する長手方向の一端側に、回動軸１５を介してカメラ本体２に回動自在に取り付けられ、カメラ本体２の右側面側に寄った位置にて全域がカメラ本体２の底面に重なり、脚１４とほぼ同形状に設けられた底面のくぼみ１８（図３参照）に収納される収納状態（図２の状態）と、長手方向の他端側がデジタルカメラ１の正面側又は背面側に突出する使用状態とに操作可能となっている。なお、前記くぼみ１８は、図示した収納状態の脚１４がカメラ本体２の底面にほぼ面一となる程度の深さであり、非使用時に脚１４が周囲との干渉して邪魔になることがないようになっている。
【００３８】
図３は、脚１４が正面側へ９０°回動操作された使用状態における、前記回動軸１５を通るカメラ本体２の厚み方向の断面図すなわち図２のＡ−Ａ断面である。本実施の形態において前記回動軸１５は脚１４と固着されており、回動軸１５がカメラ本体２の底部において外側から内部に貫通された後、カメラ本体２の内部においてバネ１６により抜けを防止され、かつ抜け方向への若干の移動を許容された状態を維持されることにより、脚１４がカメラ本体２に対し回動可能となっている。
【００３９】
さらに、本実施の形態において脚１４は金属製であり、前記回動軸１５よりもさらに一端側には、その表面側からカメラ本体２の底面と対向する裏面側に向けた打ち出し加工により、回動軸１５を中心とする円周上の所定の角度位置に第１〜第３の係止凸部１４ａ〜１４ｃが形成されている。それに対し、カメラ本体２の底面には、前記回動軸１５を通るカメラ本体２の厚み方向の直線上に、収納状態にある脚１４の幅方向の両側に位置して一対の係止凹部２ａ，２ａが設けられている。
【００４０】
そして、脚１４における第１〜第３の係止凸部１４ａ〜１４ｃの配置角度は、脚１４の自由端部がデジタルカメラ１の正面側又は裏面側へ回動操作されるときには、その回動角度が４５°及び９０°となった時点で、脚１４の第１〜第３の係止凸部１４ａ〜１４ｃのいずれかがカメラ本体２の係止凹部２ａ，２ａの一方に係合するように設定されている。それによりユーザーが脚１４を回動操作する場合には、その操作途中に節度感を生じさせることにより、脚１４の回動位置を４５°と９０°とに容易にセットすることができるようになっている。
【００４１】
さらに脚１４における第１〜第３の係止凸部１４ａ〜１４ｃは、カメラ本体２の係止凹部２ａ，２ａよりも若干大きく突起しており、係止凸部と係止凹部とが系合した際にも、該系合部分ではカメラ本体２の底面と脚１４との間に若干の間隙Ｘが生じるようになっており、これによってカメラ本体２を載置したときに、カメラ本体２の前記回動軸１５に対して前記系合部分を有する側が仰角を持つ構成となる。
【００４２】
これは、記念撮影モード時には撮影方向に若干の仰角を持たせたほうが実際の使用時に便利であること、またマクロモード撮影時には逆に若撮影方向に若干の負角を持たせたほうが使用時に便利であることに由来する。
【００４３】
また、図３に示したように、カメラ本体２内には、前記脚１４が使用状態にあるときの回動角を検出するための脚センサ１７が設けられている。脚センサ１７は、カメラ本体２内の所定部位に指示された固定子１７ａと、それに回動自在に組み付けられた可動子１７ｂとからなり、可動子１７ｂに前記回動軸１５の先端部が内嵌するよう連結されている。本実施の形態において脚センサ１７は、前記固定子１７ａに対する可動子１７ｂの回動位置に応じて複数の回路を選択的に閉じるスイッチ（所謂ロータリースイッチ）であって、脚センサ１７は、脚１４が収納状態であるか否かと、使用状態にあるときの角度（４５°及び９０°または本体２の正面側および裏面側）を検出する。つまり、本発明の状態検出手段、状態内容検出手段として機能する。
【００４４】
なお、図１、図３は、本願の各実施の形態で共通の構成である。  次に、図４により上記カメラ本体２内に設けられる、主として電子回路の構成について説明する。
【００４５】
同図で、このデジタルカメラ１は、上述した如く記録モードと再生モードとを切換選択可能であり、記録モードのモニタリング状態においては、撮影レンズ１０の撮影光軸後方に配置された撮像素子であるＣＣＤ２１が、タイミング発生器（ＴＧ）２２、垂直ドライバ２３によって走査駆動され、一定周期毎に光電変換出力を１画面分出力する。
【００４６】
この光電変換出力は、アナログ信号の状態でＲＧＢの原色成分毎に適宜ゲイン調整された後に、サンプルホールド回路（Ｓ／Ｈ）２４でサンプルホールドされ、Ａ／Ｄ変換器２５でデジタルデータに変換され、カラープロセス回路２６で画像補間処理を含むカラープロセス処理が行われて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ２７に出力される。
【００４７】
ＤＭＡコントローラ２７は、カラープロセス回路２６の出力する輝度信号Ｙ及び色差信号Ｃｂ，Ｃｒを、同じくカラープロセス回路２６からの複合同期信号、メモリ書込みイネーブル信号、及びクロック信号を用いて一度ＤＭＡコントローラ２７内部のバッファに書込み、ＤＲＡＭインタフェース（Ｉ／Ｆ）２８を介してＤＲＡＭ２９にＤＭＡ転送する。
【００４８】
制御部３０は、上記輝度及び色差信号のＤＲＡＭ２９へのＤＭＡ転送終了後に、この輝度及び色差信号をＤＲＡＭインタフェース２８を介してＤＲＡＭ２９より読出し、ＶＲＡＭコントローラ３１を介してＶＲＡＭ３２に書込む。
【００４９】
デジタルビデオエンコーダ（以下「ビデオエンコーダ」と略称する）３３は、上記輝度及び色差億号をＶＲＡＭコントローラ３１を介してＶＲＡＭ３２より定期的に読出し、これらのデータを元にビデオ信号を発生して表示部３４に出力する。
【００５０】
この表示部３４は、上記液晶モニタ部９とその駆動回路等により構成され、記録モード時にはＥＶＦ（Ｅｌｅｃｔｒｏｎｉｃ  Ｖｉｅｗ  Ｆｉｎｄｅｒ：電子ビューファインダ）として機能するもので、ビデオエンコーダ３３からのビデオ信号に基づいた表示を行うことで、その時点でＶＲＡＭコントローラ３１から取込んでいる画像情報に基づく画像を表示することとなる。
【００５１】
そして、このように表示部３４にその時点での画像がモニタ画像としてリアルタイムに表示されている状態で、記録保存を行いたいタイミングでキー入力部３５を構成する複数のキー中の上記レリーズキー４を操作すると、トリガ信号を発生する。
【００５２】
制御部３０は、このトリガ信号に応じてその時点でＣＣＤ２１から取込んでいる１画面分の輝度及び色差信号のＤＲＡＭ２９へのＤＭＡ転送の終了後、直ちにＣＣＤ２１からのＤＲＡＭ２９への経路を停止し、記録保存の状態に遷移する。
【００５３】
この記録保存の状態では、制御部３０がＤＲＡＭ２９に書込まれている１フレーム分の輝度及び色差信号をＤＲＡＭインタフェース２８を介してＹ，Ｃｂ，Ｃｒ、の各コンポーネント毎に縦８画素×横８画索の基本ブロックと呼称される単位で読出してＪＰＥＧ回路３６に書込み、このＪＰＥＧ回路３６でＡＤＣＴ（Ａｄａｐｔｉｖｅ  Ｄｉｓｃｒｅｔｅ  Ｃｏｓｉｎ  Ｔｒａｎｓｆｏｒｍ：適応離散コサイン変換）、エントロピ符号化方式であるハフマン符号化等の処理によりデータ圧縮し、得た符号データを１画像のデータファイルとして該ＪＰＥＯ回路３６から読出し、このデジタルカメラ１の記憶媒体として着脱自在に装着される、不揮発性メモリであるフラッシュメモリ３７に書込む。
【００５４】
そして、１フレーム分の輝度及び色差信号の圧縮処理及びフラッシュメモリ３７への全圧縮データの書込み終了に伴って、制御部３０は再度ＣＣＤ２１からＤＲＡＭ２９への経路を再び起動する。
【００５５】
この際、併せて制御部３０は、元の画像データの構成画素数を大幅に間引いた画像データを作成し、これをサムネイル画像とも呼称されるプレビュー画像として元の画像データに関連付けてフラッシュメモリ３７に記憶させる。
【００５６】
なお、上記キー入力部３５は、上述したレリーズキー４の他に、上記電源キー３、記録／再生切換スイッチ６、メニューキー７、カーソルキー８等から構成され、キー操作に伴う信号は直接制御部３０へ送出される。また、上記脚センサ１７の検知出力も直接制御部３０へ送出される。
【００５７】
制御部３０は、再生モードでは、制御部３０はＣＣＤ２１からＤＲＡＭ２９への経路を停止し、キー入力部３５でのメニューキー７とカーソルキー８等の操作による画像選択に応じてフラッシュメモリ３７から特定の１フレーム分の符号データを読出してＪＰＥＧ回路３６に読込ませ、ＪＰＥＧ回路３６で伸長処理を行って得られた縦８画素×横８画素の基本ブロック単位に、ＶＲＡＭコントローラ３１を介してＶＲＡＭ３２へ１フレーム分の輝度及び色差信号を展開記憶させる。すると、ビデオエンコーダ３３は、ＶＲＡＭ３２に展開記憶されている１フレーム分の輝度及び色差信号を元にビデオ信号を発生し、表示部３４で表示させる。
【００５８】
また、制御部３０の内部には、図示しない各種の時間を計測するためのタイマ用レジスタが設けられており、セルフタイマ・モードでの動作時には、シャッタボタンが操作された後の撮影開始タイミングをカウントダウンする。さらに、制御部３０は本発明の制御手段、時間設定手段、撮影モード設定手段として機能し、記録モードの下位モードである撮影モードでは、デジタルカメラ１に後述する動作を行わせる。
【００５９】
次に、以上の構成からなるデジタルカメラ１の本発明に係る動作を図５のフローチャートに従い説明する。図５は、電源投入状態でユーザーにより記録モードの下位モードである撮影モードが設定されたときの動作を示したものである。
【００６０】
デジタルカメラ１は、撮影モードが設定されると、表示部３４におけるスルー画像のモニタ表示を開始する（ステップＳＡ１）。次に、脚センサ１７の検出結果に基づき、カメラ本体２底部の前述した脚１４が、カメラ本体２の正面側又は裏面側に回動操作された使用状態にあるか否かを確認する（ステップＳＡ２）。そして、脚１４が使用状態であり（ステップＳＡ２でＹＥＳ）、かつその角度が４５°であった場合には（ステップＳＡ３で「４５°」）、自動的に撮影モードの下位の詳細モードをマクロモードに設定して、光学系を近接撮影用に移動することにより１０〜２０ｃｍの近接撮影を可能とし、またストロボを発光禁止状態に設定するとともに、セルフタイマ機能をオン状態とし、かつそのタイマ時間を２秒に設定する（ステップＳＡ４）。しかる後、スルー画像上に「マクロ撮影／２秒セルフタイマ」といった上記の設定内容を示すメッセージを重ねて表示し、撮影操作待ちとなる（ステップＳＡ５）。
【００６１】
また、ステップＳＡ２の判別結果がＹＥＳであって脚１４が使用状態にあり、かつその角度が９０°であった場合には（ステップＳＡ３で「９０°」）、自動的に撮影モードの下位の詳細モードを記念撮影モードに設定して、記念撮影に適した露出プログラムを選択し、かつ光学系を通常撮影用に移動することにより５０ｃｍ〜無限遠の通常撮影を可能とするとともに、セルフタイマ機能をオン状態とし、かつそのタイマ時間を１０秒に設定する（ステップＳＡ６）。しかる後、スルー画像上に「記念撮影／１０秒セルフタイマ」といった上記の設定内容を示すメッセージを重ねて表示し、撮影操作待ちとなる（ステップＳＡ７）。
【００６２】
そして、上述したいずれかの撮影操作待ち状態でユーザーによりシャッタボタンが操作されたら（ステップＳＡ８でＹＥＳ）、セルフタイマ機能を稼働して撮影開始時間のカウントダウンを開始し、ステップＳＡ４又はステップＳＡ６で設定されていた時間の経過後（２秒後又は１０秒後）にＣＣＤ２１による撮像を行い、撮像した画像を記録するとともに、記録した画像を表示部３４（液晶モニタ部９）に一定時間（１秒間等）表示する（ステップＳＡ９）。
【００６３】
その後、ステップＳＡ２へ戻り、脚１４が使用状態にある間には、前述したステップＳＡ３〜ＳＡ９の処理を繰り返す。それにより、ユーザーにより脚１４の回動角度が変更されなければ、詳細モードや前記各種機能のオンオフ状態の設定を維持したまま、設定内容を示すメッセージを重ねて表示して撮影操作待ちとなる。
【００６４】
一方、その間に、ユーザーにより脚１４が使用状態から収納状態に操作されたら（ステップＳＡ２でＮＯ、ステップＳＡ１０でＹＥＳ）、詳細モード等の設定を撮影モードが設定された直後の状態に初期化し（ステップＳＡ１１）、その設定状態での通常の撮影モードによる撮影を可能とする。なお、撮影モードが設定された後、脚１４が使用状態に操作されなかった場合には、ステップＳＡ２，ＳＡ１０の判別結果が共にＮＯとなり、通常の撮影モードでの撮影を可能とする。
【００６５】
以上のように本実施の形態のデジタルカメラ１においては、脚１４を使用状態に回動操作するだけで、カメラ本体２の転倒を防止しつつ直ちにセルフタイマを用いた撮影を行うことができ、三脚を用いることなくセルフタイマを用いた撮影を行うことができる。また、その際においても液晶モニタ部９の視認性が低下することがなく、良好な操作性を確保することができる。
【００６６】
しかも、脚１４を使用状態に回動させるとき、その角度を変えるだけで撮影目的に応じた撮影モード（マクロモードと記念撮影モード）と、それに適したタイマ時間（２秒と１０秒）とを自動的に設定することができる。したがって、操作手順の簡略化による作業性の向上により、ユーザーは、セルフタイマを用いた撮影を直ちに開始することができる。
【００６７】
なお、本実施の形態では、使用状態における脚１４の回動角度（回動量）が４５°であったとき、前述したマクロ撮影用の設定を自動的に行い、かつ脚１４の回動角度が９０°であったとき、前述した記念撮影用の設定を自動的に行うようにしたが、本発明の実施に際して上記角度は適宜設定可能である。また、マクロ撮影用や記念撮影用の設定は、４５°や９０°といった固定された角度以外にも、例えば１０゜〜４５°と５０°〜９０°といった角度範囲に応じて行うようにしてもよい。
【００６８】
さらに、撮影モードと共に自動設定するタイマ時間については、使用状態における脚１４の回動角度（回動量）に応じて段階的に、或いは無段階に変化させるようにしてもよい。
【００６９】
また、本実施の形態では、自動的に設定する撮影モード及びタイマ時間がマクロ撮影用と記念撮影用とである場合について説明したが、撮影モード及びタイマ時間をそれ以外の撮影目的に適したものとしてもよく、さらには、自動設定可能な撮影モード及びタイマ時間の種類を単一としたり３種類以上としてもよい。なお、その場合には、脚センサ１７に、それらに応じた１又は複数の角度や角度範囲を検出可能なものを用いればよい。
【００７０】
（第２の実施の形態）
次に、本発明の第２の実施の形態を説明する。本実施の形態は、前述した第１の実施の形態と異なり、図６に示した構成を有するデジタルカメラ２０１に関するものである。
【００７１】
すなわち図６は、図２に対応した図であって、本実施の形態におけるデジタルカメラ２０１は、第１の実施の形態で説明したものと同様、カメラ本体２の底部には脚１４が回動自在に取り付けられている。但し、本実施の形態では、脚１４の一端側には、脚１４の幅方向の中央に位置する第２の係止部１４ｂのみが設けられており、脚１４の自由端部がデジタルカメラ２０１の正面側又は背面側に回動操作されたときには、その回動角度が９０°となった時点で、脚１４の第２の係止部１４ｂがカメラ本体２の係止凹部２ａ，２ａの一方とが係合するようになっている。つまり、ユーザーが節度感をもって脚１４の回動位置を９０°に容易にセットすることができるようになっている。
【００７２】
さらに、本実施の形態では、前述した脚センサ１７が、脚１４が収納状態であるか否かと、使用状態での回動方向（デジタルカメラ１の正面側と背面側との別）とが検出可能となっている。なお、これ以外の電気的構成および図１と図３に示した機械的構成については第１の実施の形態と同様である。
【００７３】
次に、以上の構成からなるデジタルカメラ２０１の本発明に係る動作を図７のフローチャートに従い説明する。図７は、電源投入状態でユーザーにより記録モードの下位モードである撮影モードが設定されたときの動作を示したものである。
【００７４】
デジタルカメラ２０１は、撮影モードが設定されると、表示部３４におけるスルー画像のモニタ表示を開始する（ステップＳＢ１）。次に、脚センサ１７の検出結果に基づき、カメラ本体２底部の前述した脚１４が、カメラ本体２の正面側又は裏面側に回動操作された使用状態にあるか否かを確認する（ステップＳＢ２）。そして、脚１４が使用状態であり（ステップＳＢ２でＹＥＳ）、かつその回動方向が正面側であった場合には（ステップＳＢ３で「正面側」）、自動的に撮影モードの下位の詳細モードをマクロモードに設定して、光学系を近接撮影用に移動することにより１０〜２０ｃｍの近接撮影を可能とし、またストロボを発光禁止状態に設定するとともに、セルフタイマ機能をオン状態とし、かつそのタイマ時間を２秒に設定する（ステップＳＢ４）。しかる後、スルー画像上に「マクロ撮影／２秒セルフタイマ」といった上記の設定内容を示すメッセージを重ねて表示し、撮影操作待ちとなる（ステップＳＢ５）。
【００７５】
また、ステップＳＢ２の判別結果がＹＥＳであって脚１４が使用状態にあり、かつその回動方向が背面側であった場合には（ステップＳＢ３で「背面側」）、自動的に撮影モードの下位の詳細モードを記念撮影モードに設定して、光学系を通常撮影用に移動することにより５０ｃｍ〜無限遠の通常撮影を可能とするとともに、セルフタイマ機能をオン状態とし、かつそのタイマ時間を１０秒に設定する（ステップＳＢ６）。しかる後、スルー画像上に「記念撮影／１０秒セルフタイマ」といった上記の設定内容を示すメッセージを重ねて表示し、撮影操作待ちとなる（ステップＳＢ７）。
【００７６】
これ以後、ステップＳＢ８〜ＳＢ１１においては、第１の実施の形態で説明したステップＳＡ８〜ＳＡ１１と同様に動作を行う。
【００７７】
以上のように本実施の形態のデジタルカメラ２０１においても、脚１４を使用状態に回動操作するだけで、カメラ本体２の転倒を防止しつつ直ちにセルフタイマを用いた撮影を行うことができ、三脚を用いることなくセルフタイマを用いた撮影を行うことができる。また、その際においても液晶モニタ部９の視認性が低下することがなく、良好な操作性を確保することができる。
【００７８】
しかも、本実施の形態においては、脚１４を使用状態に回動させるとき、その方向（正面側又は背面側）を変えるだけで撮影目的に応じた撮影モード（マクロモードと記念撮影モード）と、それに適したタイマ時間（２秒と１０秒）とを自動的に設定することができる。したがって、操作手順の簡略化による作業性の向上により、ユーザーは、セルフタイマを用いた撮影を直ちに開始することができる。
【００７９】
なお、本実施の形態においても、自動的に設定する撮影モード及びタイマ時間がマクロ撮影用と記念撮影用とである場合について説明したが、撮影モード及びタイマ時間をそれ以外の撮影目的に適したものとしてもよい。さらに、撮影モードと共に自動設定するタイマ時間については、使用状態における脚１４の回動角度（回動量）に応じて段階的に、或いは無段階に変化させるようにしてもよい。
【００８０】
（第３の実施の形態）
次に、本発明の第３の実施の形態を説明する。本実施の形態は、前述した第２の実施の形態と同様の脚１４、及び脚センサ１７を有するとともに、図８に示した電気的構成およびお図１と図３に示した機械的構成を有するデジタルカメラ３０１に関するものである。
【００８１】
すなわち本実施の形態におけるデジタルカメラ３０１は、脚センサ１７とは別に、カメラ本体２における前後方向の傾き角度を検出し、その検出結果を制御部に出力することにより本発明の傾き検出手段として機能する角度センサ３８を有している。
【００８２】
以下、本実施の形態のデジタルカメラ３０１の本発明に係る動作を図９のフローチャートに従い説明する。図９は、電源投入状態でユーザーにより記録モードの下位モードである撮影モードが設定されたときの動作を示したものである。
【００８３】
デジタルカメラ３０１は、撮影モードが設定されると、表示部３４におけるスルー画像のモニタ表示を開始する（ステップＳＣ１）。次に、脚センサ１７の検出結果に基づき、カメラ本体２底部の前述した脚１４が、カメラ本体２の正面側又は裏面側に回動操作された使用状態にあるか否かを確認する（ステップＳＣ２）。ここで、脚１４が使用状態であったときには（ステップＳＣ２でＹＥＳ）、さらに、角度センサ３８の検出結果に基づき、カメラ本体２が前側（正面側）に１５°以上傾いているか否かを確認する（ステップＳＣ３）。
【００８４】
そして、前側に１５°以上傾いていた場合、つまり所定角度以上の俯角であった場合には、自動的に撮影モードの下位の詳細モードをマクロモードに設定して、光学系を近接撮影用に移動することにより１０〜２０ｃｍの近接撮影を可能とし、またストロボを発光禁止状態に設定するとともに、セルフタイマ機能をオン状態とし、かつそのタイマ時間を２秒に設定する（ステップＳＣ４）。しかる後、スルー画像上に「マクロ撮影／２秒セルフタイマ」といった上記の設定内容を示すメッセージを重ねて表示し、撮影操作待ちとなる（ステップＳＣ５）。
【００８５】
また、ステップＳＣ３の判別結果がＮＯであって、カメラ本体２が前側に１５°以上傾いていない場合、つまり所定角度未満の俯角、又は０°を含む仰角であった場合には、自動的に撮影モードの下位の詳細モードを記念撮影モードに設定して、光学系を通常撮影用に移動することにより５０ｃｍ〜無限遠の通常撮影を可能とするとともに、セルフタイマ機能をオン状態とし、かつそのタイマ時間を１０秒に設定する（ステップＳＣ６）。しかる後、スルー画像上に「記念撮影／１０秒セルフタイマ」といった上記の設定内容を示すメッセージを重ねて表示し、撮影操作待ちとなる（ステップＳＣ７）。
【００８６】
これ以後、ステップＳＣ８〜ＳＣ１１においては、第２の実施の形態で説明したステップＳＣ８〜ＳＣ１１と同様に動作を行う。
【００８７】
以上のように本実施の形態のデジタルカメラ３０１においても、回動自在な脚１４を備えることにより、三脚を用いることなくセルフタイマを用いた撮影を行うことができ、また、その際には液晶モニタ部９の視認性が低下することがなく、良好な操作性を確保することができる。
【００８８】
しかも、本実施の形態においては、脚１４を使用状態に回動させた状態で、カメラ本体２における前面側への傾き角度を変えるだけ（１５°未満と１５°以上）で撮影目的に応じた撮影モード（マクロモードと記念撮影モード）と、それに適したタイマ時間（２秒と１０秒）とを自動的に設定することができる。したがって、操作手順の簡略化による作業性の向上により、ユーザーは、セルフタイマを用いた撮影を直ちに開始することができる。
【００８９】
なお、本実施の形態では、撮影目的に応じた撮影モード及びタイマ時間を、角度センサ３８により検出したカメラ本体２の傾きに応じて設定するようにしたが、それをカメラ本体２と脚１４とがなす角度、すなわち相対角度に応じて設定するようにしてもよい。その場合には、例えばカメラ本体に設ける脚（１４）を非使用状態と使用状態とに回動自在とするだけでなく、さらに使用状態でその自由端部側が上方向へ回動自在で、かつ任意の角度での位置固定が可能な構成とするとともに、使用状態における脚の上方向への回動角度を検出する角度センサを設ければよい。
【００９０】
なお、本実施の形態では、脚１４が使用状態にあるときのカメラ本体２の傾き角度が１５°以上であったとき、撮影モード及びタイマ時間をマクロ撮影用としたが、本発明の実施に際して上記角度は適宜設定可能である。
【００９１】
また、本実施の形態では、自動的に設定する撮影モード及びタイマ時間がマクロ撮影用と記念撮影用とである場合について説明したが、撮影モード及びタイマ時間をそれ以外の撮影目的に適したものとしてもよく、自動設定可能な撮影モード及びタイマ時間の種類を３種類以上としてもよい。
【００９２】
さらに、撮影モードと共に自動設定するタイマ時間については、使用状態における脚１４の回動角度（回動量）に応じて段階的に、或いは無段階に変化させるようにしてもよい。
【００９３】
また、以上説明した第１〜第３の実施の形態では、撮影モードが設定されているとき、脚１４が使用状態に操作されることにより、タイマ時間と撮影モードの詳細（マクロモードや記念撮影モード）との双方を自動的に設定するようにしたが、それらのいずれか一方のみを自動的に設定する構成としてもよい。
【００９４】
また、主として脚１４がカメラ本体２の底部に設けられ、それがカメラ本体２の正面側や裏面側に回動されることにより、カメラ本体２の転倒を防止するものとしたが、脚１４を設ける場所や、非使用状態から使用状態への操作方法、使用状態とされたときの形態等は、必要に応じて変更しても構わない。
【００９５】
また、本発明をＡＦ（オートフォーカス）機能を備えいてないデジタルカメラに適用した場合について説明したが、ＡＦ機能を備えたデジタルカメラに本発明を採用する場合には、自動的に設定する撮影モード及びタイマ時間を設定した後、ユーザーによりシャッタボタンが操作されたら、その時点（ステップＳＡ８，ＳＢ８，ＳＣ８の直後）でＡＦ処理を行わせることが望ましい。また、本発明をデジタルカメラに適用した場合について説明したが、本発明は、静止画撮影が可能なデジタルビデオカメラ等の他のカメラ装置にも適用することができる。
【００９６】
【発明の効果】
以上説明したように請求項１の発明においては、カメラ本体に設けられた脚を使用状態に操作するだけで、カメラ本体の転倒を防止しつつ直ちにセルフタイマを用いた撮影を行うことができ、その際には、カメラ本体にスルー画像等の表示部が存在する構成であっても、その視認性が低下することがないようにした。よって、三脚を用いることなくセルフタイマを用いた撮影が可能であり、かつその際に良好な操作性を確保することができる。
【００９７】
さらに、請求項２，３，４の発明においては、セルフタイマを用いた撮影時には、タイマ時間が、使用時における脚の回動量や操作方向等の使用状態に応じて異なる時間に設定されるようにした。よって、セルフタイマを用いた撮影時には、脚を使用状態に操作するだけで、それと同時にタイマ時間を設定することができ、撮影時における作業性も向上させることが可能となる。
【００９８】
また、請求項５の発明においては、セルフタイマを用いた撮影時には、撮影モードが、使用時における脚の使用状態に応じて異なる撮影モードに設定されるようにした。よって、脚を使用状態に操作するだけで、それと同時に撮影目的に適した撮影モードを選択することができ、撮影時における作業性も向上させることが可能となる。
【００９９】
また、請求項６の発明においては、セルフタイマを用いた撮影時には、撮影時のタイマ時間が、カメラ本体の所定方向の傾き状態に応じて異なる時間に設定されるようにした。よって、セルフタイマを用いた撮影時には、カメラ本体を所定方向へ傾けるだけでタイマ時間を設定することができ、撮影時における作業性も向上させることが可能となる。
【０１００】
また、請求項７の発明においては、セルフタイマを用いた撮影時には、撮影モードが、カメラ本体の所定方向の傾き状態に応じて異なる撮影モードに設定されるようにした。よって、セルフタイマを用いた撮影時には、カメラ本体を所定方向へ傾けるだけで撮影目的に適した撮影モードを選択することができ、撮影時における作業性も向上させることが可能となる。
【０１０１】
また、請求項８の発明においては、セルフタイマを用いた撮影時には、撮影時のタイマ時間が、カメラ本体の所定方向の傾き状態に応じて異なる時間に設定されるとともに、カメラ本体の所定方向の傾き状態に応じて異なる撮影モードに設定されるようにした。よって、セルフタイマを用いた撮影時には、カメラ本体を所定方向へ傾けるだけで、撮影目的に適した撮影モード及びタイマ時間を設定することができ、撮影時における作業性も向上させることが可能となる。
【０１０２】
さらに、請求項９の発明においては、収納状態にあるとき脚がカメラ本体の底面にほぼ面一とされることにより、非使用時に脚が周囲と干渉して邪魔になることがなく、カメラ装置自体の使い勝手を維持することができる。
【０１０３】
また、請求項１０の発明においては、脚を使用するときには、節度感を持って脚を所定量だけ回動操作することができるため、使い勝手が向上する。
【０１０４】
また、請求項１１の発明においては、脚を使用する撮影時には、仰角や俯角を確保した状態でカメラ本体を設置することができるため、使い勝手が向上する。
【図面の簡単な説明】
【図１】本発明の各実施の形態に共通するデジタルカメラの外観斜視図であって、（Ａ）は正面側、（Ｂ）は背面側から観た図である。
【図２】本発明の第１の実施の形態に係るデジタルカメラを底面側から見た外観斜視図である。
【図３】同実施の形態における脚センサの機械的構成を示す断面図である。
【図４】同実施の形態に係るデジタルカメラの電気的構成を示すブロック図である。
【図５】同実施の形態において撮影モードが設定されたときのデジタルカメラの動作を示すフローチャートである。
【図６】本発明の第２の実施の形態に係るデジタルカメラを底面側から見たときの外観斜視図である。
【図７】同実施の形態において撮影モードが設定されたときのデジタルカメラの動作を示すフローチャートである。
【図８】本発明の第３の実施の形態に係るデジタルカメラの電気的構成を示すブロック図である。
【図９】同実施の形態において撮影モードが設定されたときのデジタルカメラの動作を示すフローチャートである。
【符号の説明】
１，２０１，３０１    デジタルカメラ
２    カメラ本体
３    電源キー
１４    脚
１７    脚センサ
２１    ＣＣＤ
３０    制御部
３８    角度センサ
【図１】
2004333966.tif 000003
【図２】
2004333966.tif 000004
【図３】
2004333966.tif 000005
【図４】
2004333966.tif 000006
【図５】
2004333966.tif 000007
【図６】
2004333966.tif 000008
【図７】
2004333966.tif 000009
【図８】
2004333966.tif 000010
【図９】
2004333966.tif 000011